(57)【要約】【課題】通電性、放熱性を十分確保できるとともに、加工性にも優れたバスバーを提供する。【解決手段】このＵターンバスバー２１は、導体からなる幅ｂ、厚さｔを有する断面矩形状の角材２３をＵターン折曲して並列して配設し、並列された角材２３の一部をスポット溶接し他の部分は隙間が形成され、全体として厚さｔ、幅２ｂの導体を構成している。そして、並列された一対の角材２３の対向する面２３ｘ、２３ｙが放熱面とされ、放熱効率を向上させる。また、Ｕターン折曲部２５に接続穴３９を設け、スポット溶接されていない部分の一方の角材を突出させて突出部３１，３３を形成しており、他の機器との導体接続を容易に行うことができる。【選択図】図１
2008312410.tif 000002
【特許請求の範囲】
【請求項１】
一本の線材（２３）をＵターン折曲して並列部（２４）を形成してなることを特徴とするＵターンバスバー。
【請求項２】
前記一本の線材（２３）は断面矩形状であることを特徴とする請求項１に記載のＵターンバスバー。
【請求項３】
前記並列部（２４）の一部である線材相互間を接合して接合部（２６，２８）を設けることを特徴とする請求項１に記載のＵターンバスバー。
【請求項４】
前記接合部（２６，２８）以外の前記並列部（２４）の線材相互間には、隙間部（３０）が形成されていることを特徴とする請求項３に記載のＵターンバスバー。
【請求項５】
前記Ｕターン折曲部（２５）にて線材相互の間隔をあけて電気導体接続用の穴部（３９）を形成していることを特徴とする請求項１ないし４のいずれか１項に記載のＵターンバスバー。
【請求項６】
前記隙間部（３０）にて電気導体接続用の端子部となる突出部（３１，３３）を形成したことを特徴とする請求項４に記載のＵターンバスバー。
【請求項７】
導電板材からなる直線状の主要部分となる本体部（２９）は、全体厚さ（ｔ）、全体幅（２ｂ）の寸法を有し、該本体部（２９）には、端子部（３１，３３）が本体部（２９）の伸張方向に直交する方向に膨出して形成され、前記本体部（２９）の一端側の端部には、接続穴（３９）が形成されているＵターンバスバーにおいて、前記本体部（２９）は、幅が前記全体幅の半分（ｂ）であり、厚さが前記全体厚さと同じ厚さ（ｔ）を有する一本の導電材からなる線材（２３）をＵターン折曲して構成されたＵターン折曲部（２５）を備えて形成され、該Ｕターン折曲部（２５）を境に一方の側の線材（２３ａ）と他方の側の線材（２３ｂ）とから構成されており、
前記本体部（２９）側には、前記一方の側の線材（２３ａ）と前記他方の側の線材（２３ｂ）を互いに接合して並列させた並列部（２４）を前記Ｕターン折曲部（２５）に連続して有し、少なくとも前記並列部（２４）の一部が、スポット状に固着されており、
前記バスバーの本体部（２９）の前記他方の線材（２３ｂ）には、前記一方の線材（２３ａ）から離間するように折り曲げられ突出した前記端子部となる突出部（３１，３３）が設けられており、前記Ｕターン折曲部（２５）には一方の側の線材（２３ａ）と他方の側の線材（２３ｂ）とがリング状に離間するとともに互いに結合されて形成された接続穴（３９）を有していることを特徴とするＵターンバスバー。
【請求項８】
前記線材（２３）は、幅が前記全体幅の半分（ｂ）であり、厚さが前記全体厚さと同じ厚さ（ｔ）を有する導電材からなる一本の角材からなり、
前記本体部（２９）側には、前記一方の側の角材（２３ａ）の平面と前記他方の側の角材（２３ｂ）の平面とを互いに接合して並列させた並列部（２４）を有していることを特徴とする請求項７記載のＵターンバスバー。
【発明の詳細な説明】
【技術分野】
【０００１】
本発明は、自動車の電気接続箱等の内部回路として使用されるバスバーに関する。
【背景技術】
【０００２】
近年、ハイブリッド車両で用いられるインバータの電力端子としてバスバーが使用されている。図３は、このようなバスバー１１を示すもので、図２（ｂ）に示すように、主要部分は厚さｔ、幅２ｂの寸法を有し、この寸法でこの部分の許容電流が決定され、打ち抜かれた厚さｔ幅２ｂの板材を折曲して所定の形状に形成したものである。このバスバー１１は、導電板材からなる直線状の前記主要部分となる本体部１３を有している。この本体部１３には、導線等を接続するために幅広に形成された端子部１５が本体部１３の伸張方向に直交する方向に膨出して形成されている。また、この本体部１３の一端側は複数回折曲され、その端部には、ケーブル等の端子を例えばねじ固定するための接続孔１７が形成されている。このようなバスバー１１は、前記端子部１５や接続孔１７に他の導線、ケーブル等からなる電気導体を接続して使用される。
【０００３】
このようなバスバー１１は、大電流を流すため通電性、放熱性が要求される。特に放熱性を向上させるには、単位長さ当たりの表面積を増加させる必要がある。このため、従来は、板厚ｔ、板幅２ｂを増加させることでこれに対応していた。したがって、単位長さ当たりの体積が増加し板材自体が大型化するとともに、断面二次モーメントが増加するため折曲加工が困難となり加工性が悪化するという問題点があった。
【０００４】
なお、従来のバスバーとしては、例えば特許文献１に示すようなものが知られている。
【０００５】
【特許文献１】特開２００２−２８１６４５
【発明の開示】
【発明が解決しようとする課題】
【０００６】
本発明は、上記問題点を解決することをその課題とし、通電性、放熱性を十分確保できるとともに、加工性にも優れたバスバーを提供することを目的とする。
【課題を解決するための手段】
【０００７】
上記課題を解決するため、一本の線材（２３）をＵターン折曲して並列部（２４）を形成してなる手段を採用している。したがって、同等の電流通過断面積を有する単一の線材を使用する場合に比して放熱のための表面積を増加させることができ、放熱効率を向上させることができる。また、同等の電流通過断面積を有する単一の線材を使用する場合に比して断面二次モーメントを減少させることができるから、加工性を大幅に向上させることができる。
【０００８】
また、一本の線材（２３）として断面矩形状のものを採用すれば、同等の電流通過断面積を有する単一の矩形状線材を使用する場合に比して、並列する線材の互いに対向する面の分だけ表面積を増加させることができ、放熱効率を向上させることができる。また、断面二次モーメントを減少させることができ、加工性を大幅に向上させることができる。
【０００９】
また、上記課題を解決するため、並列部（２４）の一部である線材相互間を接合して接合部（２６，２８）を設ける手段を採用することができ、接合部（２６，２８）以外の並列部（２４）の線材相互間には、隙間部（３０）が形成されている手段を採用することができる。したがって、並列する線材を容易に固定することができるとともに、隙間部から熱を逃がすことができ放熱効率を向上させることができる。
【００１０】
また、上記課題を解決するため、線材のＵターン折曲部（２５）にて線材相互の間隔をあけて電気導体接続用の穴部（３９）を形成している手段を採用することができ、隙間部（３０）にて電気導体接続用の端子部となる突出部（３１，３３）を形成した手段を採用することができる。したがって、線材を折曲するだけで接続用の穴を形成することができ、また、端子溶接用の接続部を形成することができる。このため、製造工数を大幅に削減することができるとともに、板材の打ち抜きによる場合に比して、無駄となる材料が生じることがなく、材料コストを大幅に削減することができる。
【００１１】
さらに、上記課題を解決するため、導電板材からなる直線状の主要部分となる本体部（２９）は、全体厚さ（ｔ）、全体幅（２ｂ）の寸法を有し、該本体部（２９）には、端子部（３１，３３）が本体部（２９）の伸張方向に直交する方向に膨出して形成され、本体部（２９）の一端側の端部には、接続穴（３９）が形成されているＵターンバスバーにおいて、本体部（２９）は、幅が全体幅の半分（ｂ）であり、厚さが全体厚さと同じ厚さ（ｔ）を有する一本の導電材からなる線材（２３）をＵターン折曲して構成されたＵターン折曲部（２５）を備えて形成され、該Ｕターン折曲部（２５）を境に一方の側の線材（２３ａ）と他方の側の線材（２３ｂ）とから構成されており、本体部（２９）側には、一方の側の線材（２３ａ）と他方の側の線材（２３ｂ）を互いに接合して並列させた並列部（２４）をＵターン折曲部（２５）に連続して有し、少なくとも並列部（２４）の一部が、スポット状に固着されており、バスバーの本体部（２９）の他方の線材（２３ｂ）には、一方の線材（２３ａ）から離間するように折り曲げられ突出した端子部となる突出部（３１，３３）が設けられており、Ｕターン折曲部（２５）には一方の側の線材（２３ａ）と他方の側の線材（２３ｂ）とがリング状に離間するとともに互いに結合されて形成された接続穴（３９）を有している手段を採用することができる。したがって、同等の電流通過断面積を有する単一の線材を使用する場合に比して放熱のための表面積を増加させることができ、放熱効率を向上させることができる。また、同等の電流通過断面積を有する単一の線材を使用する場合に比して断面二次モーメントを減少させることができるから、加工性を大幅に向上させることができる。
【００１２】
また、上記課題を解決するため、線材（２３）は、幅が全体幅の半分（ｂ）であり、厚さが全体厚さと同じ厚さ（ｔ）を有する導電材からなる一本の角材からなり、本体部（２９）側には、一方の側の角材（２３ａ）の平面と他方の側の角材（２３ｂ）の平面とを互いに接合して並列させた並列部（２４）を有している手段を採用することができる。したがって、同等の電流通過断面積を有する単一の矩形状線材を使用する場合に比して、並列する線材の互いに対向する面の分だけ表面積を増加させることができ、放熱効率を向上させることができる。また、断面二次モーメントを減少させることができ、加工性を大幅に向上させることができる。
【発明を実施するための最良の形態】
【００１３】
以下、本発明の一実施の形態について、図１及び図２を参照して説明する。
【００１４】
図１中、符号２１は、本発明の一実施の形態であるＵターンバスバーを示す。このＵターンバスバー２１は、幅ｂ、厚さｔを有する導電材からなる線状の角材２３をＵターン折曲して構成されている。このバスバー２１は、このＵターン折曲部２５を境に一方の側の角材２３ａと他方の側の角材２３ｂとを有しており、これら一方の側と他方の側の角材２３ａ，２３ｂをＵターン折曲後互いに接合して並列させて並列部２４を構成し、Ｕターン折曲部２５と反対側の端部２７には、一方の側の角材２３ａと他方の側の角材２３ｂとスポット溶接するスポット溶接部２６が形成されている。また、端部２７以外の並列部２４にも、一方の側の角材２３ａと他方の側の角材２３ｂとをスポット溶接するスポット溶接部２８が形成されている。そして、並列部２４のうちスポット溶接部２６，２８以外の部分の一方の側の角材２３ａと他方の側の角材２３ｂとの間は溶接されておらず隙間部３０が形成されている。このようにして、図２（ａ）に示すように、全体として厚さｔ、幅２ｂの導体が構成される。
【００１５】
このバスバー２１は、略直線状に形成されたバスバー本体２９を有し、このバスバー本体２９内に前記スポット溶接部２８を有している。このバスバー本体２９の他方の角材２３ｂには、一方の角材２３ａから離間するように折り曲げられ突出した第１の突出部３１と第２の突出部３３が設けられており、この部分に他の部品からの電気導体となる端子を例えば溶接で接合するようになっている。このバスバー本体２９には、その端部から立ち上げて設けられた立ち上げ部３５が形成され、この立ち上げ部３５の上端部には、この立ち上げ部３５上端からから水平方向に延出するとともに階段状に折曲された水平部３７が形成されている。そして、この水平部３７の角材２３がＵターンしているＵターン折曲部２５には一方の側の角材２３ａと他方の側の角材２３ｂとが離間して形成された接続穴３９が形成されている。この接続穴３９は、ボルト等を挿入して他の機器に電気的、機械的に接続するためのものである。
【００１６】
このように、このＵターンバスバー２１にあっては、導体からなる幅ｂ、厚さｔを有する断面矩形状の角材２３をＵターン折曲して構成され、図２（ａ）に示すように、全体として厚さｔ、幅２ｂの導体を構成している。したがって、図２（ｂ）に示す従来のバスバー１１と比較して、電流通過断面積は同じで、放熱面積は２ｔ分だけ増加している。すなわち、図２（ａ）に示すように、一方の側の角材２３ａの他方の側の角材２３ｂと対向する面２３ｘと、他方の側の角材２３ｂの一方の側の角材２３ａと対向する面２３ｙとが放熱面として追加されている。したがって、同一電流通過断面積に対する放熱面積を大幅に増加せることができ、放熱効率を向上させることができると同時に、体積の増加による板材自体の大型化を防止することができる。また、同一電流通過断面積に対して断面二次モーメントを減少させることができるから、加工性を大幅に向上させることができる。
【００１７】
また、このＵターンバスバー２１にあっては、第１の突出部３１、第２の突出部３３、Ｕターン折曲部２５、接続穴３９等を、一本の連続した角材２３を折曲するだけで形成しているから、これらの部分の形成を容易に行うことができ、製造工程を大幅に短縮することができる。また、これらの部分を板材の打ち抜きで形成する場合に比して、無駄となる素材が生じることがなく、素材コストを大幅に削減することができる。
【００１８】
上記実施の形態においては、線材として断面矩形状の角材を採用しているが、これに限る必要はなく、断面円形、断面六角形状等他の形状でもよい。
【００１９】
また、上記実施の形態においては、Ｕターン折曲部２５は、ボルト、ネジ等で他の端子に接続されるが、これに限る必要はなく、溶接、ろう付け等で他の線材、端子と接続するようにしてもよい。
【００２０】
また、上記実施の形態においては、並列部の接合はスポット溶接で接合されるが、これに限る必要はなく、かしめ、ろう付け、接着、その他接合部品の使用等で一方の側の角材２３ａと他方の側の角材２３ｂとを接合してもよい。
【図面の簡単な説明】
【００２１】
【図１】本発明の一実施の形態のＵターンバスバーを示す三面図。
【図２】バスバーの断面を示す断面図であって、（ａ）は図１に示すバスバーの断面を示し、（ｂ）は従来のバスバーの断面を示す。
【図３】従来のバスバーを示す三面図。
【符号の説明】
【００２２】
２１    Ｕターンバスバー
２３    角材
２３ａ    一方の側の角材
２３ｂ    他方の側の角材
２４    並列部
２５    Ｕターン折曲部
２６    スポット溶接部
２８    スポット溶接部
２９    バスバー本体
３０    隙間部
３１    第１の突出部
３３    第２の突出部
３９    接続穴
【図１】
2008312410.tif 000003
【図２】
2008312410.tif 000004
【図３】
2008312410.tif 000005